(57)【要約】      （修正有）【課題】個人毎に異なる記念日を見栄え良く表示することのできるカレンダーを提供する。【解決手段】くり抜き部分３１１が形成されたポケット部３１を有し、日付がそれぞれの表面に記載された少なくとも一ヶ月分の日付紙片３と、記念日がくり抜き部３１１分から露出するようにポケット部３１内に取り出し可能に収容される挿入札４と、各日付紙片３を保持する保持手段とを備えている。【選択図】図２
0003165919.tif 000002
【実用新案登録請求の範囲】
【請求項１】
くり抜き部分が形成されたポケット部を有し、日付がそれぞれの表面に記載された少なくとも一ヶ月分の日付紙片と、
記念日が記載され、前記記念日が前記くり抜き部分から露出するように前記ポケット部内に取り出し可能に収容される挿入札と、
前記各日付紙片を保持する保持手段と、
を備えた、カレンダー。
【請求項２】
前記保持手段は、
当日の日付が記載された日付紙片を前方に突出させた状態で保持する前方保持部と、
残りの日付紙片を前記突出部の後方で保持する後方保持部と、
を有する請求項１に記載のカレンダー。
【請求項３】
前記保持手段は、一端部が前方へ突出するよう円形に折り曲げられた一本の棒状部材で形成されており、
前記前方保持部は前記一端部であって、前記後方保持部は円形に折り曲げられた部分であり、
前記各日付紙片は、上部に前記保持手段が貫通する貫通孔が形成され、前記保持手段に吊り下げられる、請求項２に記載のカレンダー。
【請求項４】
前記日付紙片は、裏面に罫線が記されている、請求項１から３のいずれかに記載のカレンダー。
【請求項５】
前記挿入札は、コースターとして使用可能である、請求項１から４のいずれかに記載のカレンダー。
【請求項６】
前記日付紙片は、封書として使用可能なように折り畳み可能である、請求項１から５のいずれかに記載のカレンダー。
【考案の詳細な説明】
【技術分野】
【０００１】
本考案は、カレンダーに関するものである。
【背景技術】
【０００２】
従来より、日付の確認やスケジュール管理等の為にカレンダーが広く使用されている。カレンダーは、一般的に、１日分だけの日付が表示され日が変わると前日分の頁をめくって次の頁を表示させる日めくりタイプのカレンダーや、一ヶ月分のみ若しくは二ヶ月分のみの日付が表示され月が変わると前月分の頁をめくって次の頁を表示させる月めくりタイプのカレンダー、一年分の日付が表示されたポスター形式のカレンダーなどがある。日めくりタイプのカレンダーとして、例えば特許文献１には、３６５日分の各紙片の一辺が接着剤によって接着されており、日付が記載された表面の下部にメモ欄が設けられているものが提案されている。
【先行技術文献】
【特許文献】
【０００３】
【特許文献１】実用新案登録第３１４７２５６号公報
【考案の概要】
【考案が解決しようとする課題】
【０００４】
上述したような従来の日めくりカレンダーでは、記念日などは個人毎に異なるため、日付が記入された表面（例えば特許文献１であればメモ欄）に自分で書き込まなければならない。このように自分で書き込むことでカレンダーの見栄えが良くないという問題があり、また、見栄えを良くするために予めカレンダーに記念日を印刷したりするためには個人毎に注文をしなければならなかった。そこで本考案は、個人毎に異なる記念日を見栄え良く表示することのできるカレンダーを提供することを課題とする。
【課題を解決するための手段】
【０００５】
本考案に係るカレンダーは、くり抜き部分が形成されたポケット部を有し、日付がそれぞれの表面に記載された少なくとも一ヶ月分の日付紙片と、記念日が記載され、前記記念日が前記くり抜き部分から露出するように前記ポケット部内に取り出し可能に収容される挿入札と、前記各日付紙片を保持する保持手段と、を備えている。
【０００６】
上記カレンダーによれば、日付紙片がポケット部を有しているため、予め記念日が印刷された挿入札を該当する日付における日付紙片のポケット部に入れることで、個人毎に異なる記念日を各日付紙片に表示することができる。なお、上記日付紙片は二ヶ月分以上であってもよく、例えば一年分であってもよい。また、記念日とは、例えば結婚記念日や、誕生日、１０周年記念日などを含む概念である。
【０００７】
上記カレンダーは種々の構成をとることができ、例えば上記保持手段は、当日の日付が記載された日付紙片を前方に突出させた状態で保持する前方保持部と、残りの日付紙片を突出部の後方で保持する後方保持部と、を有するような構成とすることができる。
【０００８】
また、上記保持手段は、一端部が前方へ突出するよう円形に折り曲げられた一本の棒状部材で形成されており、前方に突出する一端部を前方保持部とし、円形に折り曲げられた部分を後方保持部とすることもできる。なお、各日付紙片は、上部に前記保持手段が貫通する貫通孔が形成され、保持手段に吊り下げられるような構成とすることもできる。
【０００９】
また、上記日付紙片は、裏面に罫線を有するような構成とすることもできる。
【００１０】
また、挿入札は、コースターとして使用可能となるような構成であってもよい。
【００１１】
また、上記日付紙片は、封書として使用可能なように折り畳み可能であるような構成とすることもできる。
【考案の効果】
【００１２】
本考案によれば、個人毎に異なる記念日を見栄え良く表示することができる。
【図面の簡単な説明】
【００１３】
【図１】図１は、本実施形態に係るカレンダーの正面図である。
【図２】図２は、本実施形態に係る日付紙片の正面図である。
【図３】図３は、本実施形態に係る日付紙片の形成方法を示す説明図である。
【図４】図４は、本実施形態に係る封書として使用する際の日付紙片を示す説明図である。
【図５】図５は、本実施形態に係る挿入札の正面図である。
【図６】図６は、本実施形態に係る保持手段の斜視図である。
【図７】図７は、本実施形態に係る取付け部材と固定部材との関係を示す断面側面図である。
【考案を実施するための形態】
【００１４】
以下、本考案に係るカレンダーの実施形態について図面を参照しつつ説明する。なお、図１の紙面手前側を「前方」、図１の紙面奥側を「後方」とする。
【００１５】
図１に示すように、本実施形態に係るカレンダー１は、壁などに固定される保持手段２に複数の日付紙片３が吊り下げられた構成となっている。
【００１６】
複数の日付紙片３は、１〜３１のいずれかの数字が記入されており、1ヶ月分の３１枚が用意されている。なお、特に１カ月分に限定されるものではなく、２ヶ月分以上の日付紙片３を用意してもよい。図２に示すように、各日付紙片３は、短冊状であって、表面の中央部に日付Ｄとして１〜３１から選ばれるそれぞれ異なる数字が表示されている。また、各日付紙片３の下部には、上端が開口したポケット部３１が形成されており、このポケット部３１内には後述する挿入札４を上端から収容可能となっている。ポケット部３１の中央部には、挿入札４よりも一回り小さい円形のくり抜き部分３１１が形成されている。また、日付紙片３の上部には保持手段２を通すための貫通孔３２が形成されている。なお、ポケット部３１には、挿入札４の他にも飾りＡを入れることができる。
【００１７】
上述した各日付紙片３は、図３に示すように、一枚の紙片本体３０を折り畳むことによって形成されている。この紙片本体３０は、厚紙によって形成されており、表面には日付Ｄが表示されている。また、紙片本体３０の裏面には、紙片本体３０を便箋として使用できるように罫線が付されていることが好ましい。この日付紙片３の形成方法について説明すると、まず、紙片本体３０の下部３０１の略中央部にくり抜き部分３１１を形成し、紙片本体３０の表面を上にした状態で下部３０１を折り畳む（図３（ａ））。その後、紙片本体３０を裏返して紙片本体３０の裏面を上にした状態で左側部３０２を折り畳む（図３（ｂ））。続いて右側部３０３を左側部３０２上に重なるよう、且つ、右側部３０３の下部が左側部３０２の下部に挿入されるように折り畳む（図３（ｃ））。そして、最後に、上部に貫通孔３２を形成することで、表面の日付の下部にポケット部３１を有する日付紙片３が形成される（図３（ｄ））。なお、この日付紙片３の上部を図４に示すように折り畳むことによって、日付紙片３を封書として使用することもできる。
【００１８】
上述した各日付紙片３のポケット部３１には挿入札４が挿入されているが、挿入札４は全てのポケット部３１に挿入されていなくてもよい。この挿入札４は、図５に示すように、例えば厚紙等を使用した円形状に形成されており、その表面には記念日名が記載されている。この記念日名は、挿入札４をポケット部３１に入れたときにポケット部３１のくり抜き部分３１１から露出するような位置に表示されている。なお、挿入札４の裏面に絵柄を施すなどして、この挿入札４をコースターなどとして使用することもできる。また、記念日名としては、例えば、結婚記念日や、誕生日、１０周年記念日など種々のものがある。
【００１９】
保持手段２は、図６に示すように、全体として円形に形成されており、一端部が前方、他端部が後方へ突出した一本の棒状部材２０から主に構成されている。この前方へ突出した一端部が前方保持部２１であり、円形に湾曲した部分が後方保持部２２である。この保持手段２の前方保持部２１にその日の日付が示された日付紙片３が吊り下げられ、他の日付の複数の日付紙片３は後方保持部２２に吊り下げられている。なお、前方保持部２１は、前方保持部２１に引っ掛けられた日付紙片３が先端から落下しないように、前方へ突出するだけでなく、さらにその先端が上方へと折り曲げられている。
【００２０】
後方へ突出した他端部の先端には、壁などに保持手段２を取り付けるための取付け部材２３が設けられている。図７に示すように、この取付け部材２３は、六角穴付き止めネジ２３１等の固定手段を緩めることで棒状部材２０に対して回転可能となり、六角穴付き止めネジ２３１を締めることによって棒状部材２０に対して回転しないように、棒状部材２０に固定される。また、取付け部材２３は、互いに連通する第１の貫通孔２３２及び第２の貫通孔２３３を有している。第１の貫通孔２３２には棒状部材２０の他端部が挿入されており、第２の貫通孔２３３は内壁面に雌ねじが形成されている。一方、ネジや釘などによって壁面に固定された固定部材２４は外周面に雄ねじが形成されており、取付け部材２３の第２の貫通孔２３３と固定部材２４とを螺合させることで、保持手段２を壁面などに固定することができる。
【００２１】
以上、本考案の実施形態について説明したが、本考案はこれらに限定されるものではなく、本考案の趣旨を逸脱しない限りにおいて種々の変更が可能である。例えば、上記実施形態では、日付紙片３は前方保持部２１や後方保持部２２に吊り下げているが、日付紙片３を保持することができれば特に吊り下げるものに限定されるものではない。例えば、日付紙片３を把持するクリップのような把持手段として前方保持部２１や後方保持部２２を構成することもできる。また、後方保持部２２は、円形として折り曲げられた部分として説明したが、特にこの形状に限定されるものではなく、例えば、三角形状などのような多角形状とすることもできる。
【００２２】
また、上記実施形態では、保持手段２を壁面などに取り付ける方法として、取付け部材２３及び固定部材２４を用いているが、特にこれに限定されるものではない。例えば、保持手段２の他端部に引掛部を形成して、壁に取り付けられたフックなどに引っ掛けるようにして保持手段２を壁などに固定することができる。
【００２３】
また、上記実施形態において、挿入札４は円形に形成されていたが、ポケット部３１に収容することができれば挿入札４の形状は特に限定されるものではなく、例えば矩形状などとすることができる。
【００２４】
また、上記実施形態において、各日付紙片３は、一枚の紙片本体３０を折り畳むことによってポケット部３１を形成しているが、特にこれに限定されるものではなく、複数枚の紙片からポケット部３１を有する日付紙片３を形成することもできる。
【符号の説明】
【００２５】
１    カレンダー
２    保持手段
２１    前方保持部
２２    後方保持部
３    日付紙片
３１    ポケット部
３１１    くり抜き部分
４    挿入札
【図１】
0003165919.tif 000003
【図２】
0003165919.tif 000004
【図３】
0003165919.tif 000005
【図４】
0003165919.tif 000006
【図５】
0003165919.tif 000007
【図６】
0003165919.tif 000008
【図７】
0003165919.tif 000009